(57)【要約】【課題】緩める際に作業者の指が滑りにくく、且つ締め付ける際に作業者による締め付けトルクのばらつきを抑制することが可能な採水器の空気孔栓を提供する。【解決手段】中空状の採水器１の内外を連通し、採水器１内からの排水時に開放される空気孔２５を螺合により閉止するための採水器１の空気孔栓７であって、空気孔２５側の雌ねじ部２５ａに螺合される雄ねじ部２７と、雄ねじ部２７と一体の柱状であり、螺合動作時及び螺合解除動作時に回転操作されるツマミ部２９とを備え、ツマミ部２９は、表面２９ｂに回転操作時に作業者の指を回転方向において係合させる係合部３７を有する。【選択図】  図６
2019007931.tif 000002
【特許請求の範囲】
【請求項１】
中空状の採水器の内外を連通し前記採水器内からの排水時に開放される空気孔を螺合により閉止するための採水器の空気孔栓であって、
前記螺合用の雄ねじ部と、
前記雄ねじ部と一体の柱状であり前記雄ねじ部の螺合動作時及び螺合解除動作時に回転操作されるツマミ部とを備え、
前記ツマミ部は、外周面又は表面に前記回転操作時に指を回転方向において係合させる係合部を有する、
ことを特徴とする空気孔栓。
【請求項２】
請求項１記載の空気孔栓であって、
前記ツマミ部は、円柱状であり、
前記係合部は、前記外周面又は前記表面から突出した突起部からなる、
ことを特徴とする空気孔栓。
【請求項３】
請求項２記載の空気孔栓であって、
前記突起部は、前記表面から突出して該表面の外周上の二点を結ぶ弦に沿って形成された突条部である、
ことを特徴とする空気孔栓。
【請求項４】
請求項３記載の空気孔栓であって、
前記突条部は、前記ツマミ部の前記表面の直径に沿って前記表面の外周上の二点間に渡って形成された、
ことを特徴とする空気孔栓。
【請求項５】
請求項１記載の空気孔栓であって、
前記ツマミ部は、角柱状に形成され、
前記係合部は、前記ツマミ部の外周上に位置する前記角柱状の側面からなる、
ことを特徴とする空気孔栓。
【請求項６】
請求項１記載の空気孔栓であって、
前記ツマミ部は、外周上の一部が平坦面となっている円柱状であり、
前記係合部は、前記平坦面からなる、
ことを特徴とする空気孔栓。
【請求項７】
請求項１記載の空気孔栓であって、
前記ツマミ部は、楕円柱状であり、
前記係合部は、前記楕円柱状の外周面である、
ことを特徴とする空気孔栓。
【請求項８】
請求項１〜７の何れか一項に記載の空気孔栓を備えた採水器であって、
中空状の本体部と、
該本体部の内外を連通する前記空気孔と、
該空気孔の内周に設けられ前記空気孔栓の前記雄ねじ部が螺合された雌ねじ部と、
前記空気孔の周囲において前記本体部と前記空気孔栓の前記ツマミ部との間に配置された止水用のシール部材と、
を備えたことを特徴とする採水器。
【請求項９】
請求項８記載の採水器であって、
前記本体部は、前記空気孔栓の周囲において螺合用のマークを有し、
前記空気孔栓は、前記係合部を前記マークに対して位置決めることで適切なトルクで前記雄ねじ部が前記空気孔側の前記雌ねじ部に螺合される、
ことを特徴とする採水器。
【発明の詳細な説明】
【技術分野】
【０００１】
本発明は、海等の水中に沈めて採水する採水器の空気孔栓及び採水器に関する。
【背景技術】
【０００２】
海洋観測等においては、ＣＴＤ（Conductivity Temperature & Depth Profiling System）と呼ばれる海洋観測装置に採水器が搭載されることがある。
【０００３】
ＣＴＤは、水中に沈められて海面から海底に至るまでの距離を計測しながら海底付近までの海水観測を行うものであり、その際に、採水器は、海水を採取する。このような採水器としては、例えば特許文献１に記載のものがある。
【０００４】
特許文献１の採水器は、採水器の本体部としての筒状の採水容器の上下開口を蓋体によって開閉可能とし、採水容器の上下開口を開放した状態で海等の水中に沈め、蓋体により採水容器の開口を閉止することで採水する。
【０００５】
この採水器には、採水容器の上端部に空気孔栓によって閉止された空気孔が設けられ、採水容器の下端部に排水バルブが設けられている。そして、採水器では、空気孔栓を緩めて空気孔の内外を連通した上で、排水バルブから排水できるようになっている。
【０００６】
空気孔栓は、空気孔内周の雌ねじ部に螺合される雄ねじ部、及びこの雄ねじ部に一体の円柱状のツマミ部を有し、ツマミ部の外周を作業者が指によってつまんで回すことで空気孔に対して締め付けられ或は緩められる。
【０００７】
しかし、空気孔栓を緩める場合は、水中から引き揚げられて排水するためにツマミ部が回されるため、濡れたツマミ部の外周を作業者が指でつまんで回そうすると、ツマミ部が小さく円柱形状であることもあって指が滑り、作業が困難になるという問題があった。
【０００８】
また、空気孔栓を締め付ける場合は、空気孔栓のツマミ部と採水容器との間にＯリング等のシール部材を挟みつつ空気孔栓の雄ねじ部を空気孔の雌ねじ部に螺合させていくが、この螺合時のトルク、つまり締め付けトルクが作業者によってばらつき、シール部材が損傷したり或は空気孔の閉止が不十分になるという問題がある。
【先行技術文献】
【特許文献】
【０００９】
【特許文献１】特許第３１８１５９８号公報
【発明の開示】
【発明が解決しようとする課題】
【００１０】
解決しようとする問題点は、緩める際に作業者の指が滑りやすく作業が困難であり、締め付ける際に締め付けトルクが作業者によってばらついていた点である。
【課題を解決するための手段】
【００１１】
本発明は、緩める際に作業者の指が滑りにくく、且つ締め付ける際に作業者による締め付けトルクのばらつきを抑制するために、中空状の採水器の内外を連通し前記採水器内からの排水時に開放される空気孔を螺合により閉止するための採水器の空気孔栓であって、前記螺合用の雄ねじ部と、前記雄ねじ部と一体の柱状であり前記雄ねじ部の螺合動作時及び螺合解除動作時に回転操作されるツマミ部とを備え、前記ツマミ部は、外周面又は表面に前記回転操作時に指を回転方向において係合させる係合部を有することを最も主な特徴とする。
【発明の効果】
【００１２】
本発明の空気孔栓は、ツマミ部の外周面又は表面の係合部に回転方向において指を係合させることができるため、緩める際に作業者の指が滑りにくく、容易且つ確実に作業を行わせることができる。
【００１３】
しかも、本発明の空気孔栓は、係合部が締め付ける際のトルクの目安となり、作業者による締め付けトルクのばらつきを抑制することができる。
【図面の簡単な説明】
【００１４】
【図１】空気孔栓を有する採水器を示す斜視図である（実施例１）。
【図２】図１の空気孔栓周辺を示す斜視図である（実施例１）。
【図３】図２の空気孔栓の斜視図である（実施例１）。
【図４】図３の空気孔栓の正面図である（実施例１）。
【図５】図３の空気孔栓の側面図である（実施例１）。
【図６】図３の空気孔栓の平面図である（実施例１）。
【図７】図３の空気孔栓の背面図である（実施例１）。
【図８】変形例に係る空気孔栓を示すの正面図である（実施例１）。
【図９】空気孔栓の正面図である（実施例２）
【図１０】図９の空気孔栓の平面図である（実施例２）。
【図１１】空気孔栓の正面図である（実施例３）
【図１２】図１１の空気孔栓の平面図である（実施例３）。
【図１３】変形例に係る空気孔栓を示す正面図である（実施例３）。
【図１４】空気孔栓の正面図である（実施例４）
【図１５】図１４の空気孔栓の平面図である（実施例４）。
【図１６】空気孔栓の正面図である（実施例５）
【図１７】図１６の空気孔栓の平面図である（実施例５）。
【図１８】採水器の要部正面図である（実施例６）。
【発明を実施するための形態】
【００１５】
緩める際に作業者の指が滑りにくく、且つ締め付ける際に作業者による締め付けトルクのばらつきを抑制するという目的を、空気孔栓のツマミ部に回転方向に指を係合させる係合部を設けることにより実現した。
【００１６】
具体的には、中空状の採水器の内外を連通し、採水器内からの排水時に開放される空気孔を螺合により閉止するための採水器の空気孔栓であって、螺合用の雄ねじ部と、雄ねじ部と一体の柱状であり雄ねじ部の螺合動作時及び螺合解除動作時に回転操作されるツマミ部とを備える。ツマミ部は、外周面又は表面に回転操作時に指を回転方向において係合させる係合部を有する。
【００１７】
ツマミ部は、円柱状としてもよい。この場合、係合部は、外周面又は表面から突出した突起部とすることが可能である。突起部としては、表面から突出して、該表面の外周上の二点を結ぶ弦に沿って形成された突条部とすることも可能である。突条部は、ツマミ部の表面の直径に沿って表面の外周上の二点間に渡って形成してもよい。
【００１８】
また、ツマミ部は、角柱状に形成してもよい。この場合、係合部は、ツマミ部の外周上に位置する角柱状の側面からなる。
【００１９】
また、ツマミ部は、外周上の一部が平坦面となっている円柱状としてもよい。この場合、係合部は、平坦面からなる。
【００２０】
また、ツマミ部は、楕円柱状としてもよい。この場合、係合部は、楕円柱状の外周面となる。
【００２１】
このような空気孔栓を備えた採水器は、中空状の本体部と、本体部の内外を連通する空気孔と、空気孔の内周に設けられ空気孔栓の雄ねじ部が螺合された雌ねじ部と、空気孔の周囲において本体部と空気孔栓のツマミ部との間に配置された止水用のシール部材とを備える。
【００２２】
採水器の本体部は、空気孔栓の周囲において螺合用のマークを有してもよい。この場合、空気孔栓は、係合部をマークに対して位置決めることで適切なトルクで雄ねじ部が空気孔側の雌ねじ部に螺合される。
【実施例１】
【００２３】
［採水器の構造］
図１は、空気孔栓を有する採水器を示す斜視図である。
【００２４】
本実施例の採水器１は、図１のように、採水容器３と、開維持機構５と、空気孔栓７と、排水バルブ９とを備えている。
【００２５】
採水容器３は、採水器１の本体部であり、樹脂によって中空筒状に形成されている。採水容器３は、筒状の軸心方向の両端が開口されており、それぞれ樹脂製の蓋体１１及び１３が開閉可能に取り付けられている。この採水容器３は、開口を開放した状態で海中等の水中に沈められ、内部に水が入った状態で蓋体１１及び１３により開口を閉止することで採水する。
【００２６】
かかる蓋体１１及び１３による閉止動作は、開維持機構５により蓋体１１及び１３の開状態を維持し、その維持を解除することで行われる。
【００２７】
すなわち、蓋体１１及び１３は、採水容器３内を通るコイルスプリングやゴムロープ等の付勢部材（図示せず）により結合されており、付勢部材の付勢力によって採水容器３の開口を閉止すると共にこの閉止状態が維持されるようになっている。
【００２８】
開維持機構５は、付勢部材の付勢力に抗して蓋体１１及び１３を開状態に維持しておくもので、採水容器３の外周面に軸心方向に沿って取り付けられている。開維持機構５は、樹脂製の、上下マウントブロック１５及び１７、プッシュロッド１９、及び中間ブロック２１とを備えている。
【００２９】
上下マウントブロック１５及び１７は、採水容器３の外周面に固定されている。上下マウントブロック１５及び１７に対してプッシュロッド１９が軸方向に移動可能に支持されている。
【００３０】
すなわち、プッシュロッド１９は、上マウントブロック１５を挿通すると共にコイルスプリング等の付勢部材２３によって下マウントブロック１７に対して支持され、メッセンジャーと呼ばれるトリガー部材（図示せず）が先端に衝突することで、付勢部材２３の付勢力に抗して軸方向に移動する。このプッシュロッド１９には、中間ブロック２１が支持されている。
【００３１】
中間ブロック２１は、蓋体１１及び１３の先端部１１ａ及び１３ａから伸びるワイヤー（図示せず）が引掛けられ、蓋体１１及び１３の開状態を維持する。また、中間ブロック２１は、プッシュロッド１９と共に付勢部材２３の付勢力に抗して軸方向に移動可能となっており、この軸方向の移動によりワイヤーの引掛けが解除され、蓋体１１及び１３の開状態の維持を解除する。
【００３２】
空気孔栓７は、樹脂からなり、採水容器３の上端部に設けられた空気孔２５（図６参照）を閉止するものである。空気孔２５は、採水容器３の内外を貫通して形成されており、空気孔栓７は、空気孔２５に対して螺合による締め付けで取り付けられ、緩めることによって採水容器３の内外を連通させる。なお、空気孔栓７の詳細は後述する。
【００３３】
排水バルブ９は、樹脂からなり、採水容器３の下端部に設けられた排水口（図示せず）を閉止し、採水容器３の外周面から突出している。この排水バルブ９は、採水容器３側へ押し込むことによって採水容器３の内外を連通させ、採水容器３から排水を可能とする。
【００３４】
なお、排水は、採水器１が水中から引き揚げられた状態で行われるが、予め空気孔栓７によって採水容器３の内外を連通させておき、採水容器３内を大気に開放しておく。これにより、採水器１では、円滑に排水を行うことができるようになっている。
【００３５】
［空気孔栓］
図２は、図１の空気孔栓周辺を示す斜視図、図３〜７は、それぞれ図２の空気孔栓の斜視図、正面図、側面図、平面図、背面図である。
【００３６】
空気孔栓７は、雄ねじ部２７及びツマミ部２９を備えている。
【００３７】
雄ねじ部２７は、空気孔２５側の雌ねじ部２５ａに螺合される、空気孔２５に対する螺合用の部分である。本実施例において、空気孔２５側の雌ねじ部２５ａは、空気孔２５の内周に雌ねじが切られて形成されているが、採水容器３の内周面又は外周面に固着され、雌ねじが切られていない空気孔に連続するナット状部材で形成することも可能である。
【００３８】
雄ねじ部２７は、外周面に雄ねじが切られた円柱である。雄ねじ部２７の軸心部には、採水容器３の内外を連通する連通孔３１が設けられている。連通孔３１は、雄ねじ部２７の軸心方向に沿って先端から基端に渡って形成されている。
【００３９】
雄ねじ部２７の基端は、雄ねじの切られていない大径部３３に連続している。大径部３３は、雄ねじ部２７よりも大径で且つツマミ部２９よりも小径であり、雄ねじ部２７とツマミ部２９との間を接続する。この大径部３３の外周面に連通孔３１が開口している。大径部３３は、後述するシール部材３５を外周に嵌合させるために、外周面が僅かに曲率を有している。
【００４０】
ツマミ部２９は、雄ねじ部２７と一体の柱状であり、雄ねじ部２７の雌ねじ部２５ａへの螺合動作時及び螺合解除動作時に作業者の指によって軸心周りに回転操作されるものである。なお、螺合動作時とは、雄ねじ部２７の雌ねじ部２５ａへねじ込む動作を行うときをいい、螺合解除動作時とは、その反対の動作を行うときをいう。
【００４１】
本実施例のツマミ部２９は、大径部３３を介して雄ねじ部２７に一体に連続している。大径部３３に隣接するツマミ部２９の裏面２９ａは、大径部３３から離れるにつれて大径になるテーパ状に形成されている。
【００４２】
ツマミ部２９と採水容器３との間には、止水用のＯリング等からなるシール部材３５が配置されている。シール部材３５は、大径部３３の外周に嵌合する断面円形の環状に形成されている。このシール部材３５は、ツマミ部２９と採水容器３との間で締結されて、大径部３３の連通孔３１の開口部３１ａを閉止する。
【００４３】
従って、本実施例の空気孔栓７は、空気孔２５に対して緩めることで連通孔３１の大径部３３の開口部３１ａが開放されると、連通孔３１を介して採水容器３の内外を連通するようになっている。このように、本実施例では、連通孔３１によって空気孔２５が開放される。
【００４４】
なお、空気孔栓７は、連通孔３１を省略し、空気孔２５を取り外しによって解放することも可能である。この場合、大径部３３も省略可能である。
【００４５】
本実施例のツマミ部２９には、作業者が回転操作時に指を回転方向において係合させる係合部３７が設けられている。
【００４６】
本実施例の係合部３７は、ツマミ部２９の表面２９ｂから突出した突起部、特に表面２９ｂの外周上の二点を結ぶ弦に沿って形成された突条部である。ここで、ツマミ部２９の表面２９ｂとは、採水容器３とは反対側に位置する軸心方向の面をいう。ツマミ部２９の採水容器３側に位置する軸心方向の面が裏面２９ａである。なお、係合部３７は、例えば、図８のように、ツマミ部２９の表面２９ｂではなく外周面２９ｃから突出する突起部とすることも可能である。
【００４７】
突条部である係合部３７は、弦に沿って形成されていれば、外周上の二点間に渡る必要はなく、外周上の二点間において部分的に形成することも可能である。本実施例では、係合部３７がツマミ部２９の表面２９ｂの直径に沿って、表面２９ｂの外周上の二点間に渡って形成されている。
【００４８】
この係合部３７は、延設方向に長い矩形板状であり、延設方向に対する交差方向（ツマミ部２９の回転方向）の両側に係合面３７ａを有している。係合部３７は、これら係合面３７ａに作業者の親指と人差し指を当てるようにしてつまませ（係合させ）、ツマミ部２９の回転操作を容易に行わせることが可能となる。
【００４９】
特に、空気孔栓７は、上記のように採水器１が水中から引き揚げられて排水する際に緩められるため、ツマミ部２９は、通常、水に濡れて滑りやすく回転操作が行いにくい。しかし、本実施例では、係合部３７に作業者が指を係合させて回転操作できるため、ツマミ部２９を水に濡れている状態でも容易且つ確実に回転させることが可能となる。
【００５０】
また、空気孔栓７を締め付ける際は、係合部３７が目安となってトルク管理を行うことができる。例えば、空気孔栓７のツマミ部２９をシール部材３５を介して採水容器３の外周面に突き当て、その状態から係合部３７の方向を９０度や１８０度等のように変位させれば、空気孔栓７の締め付けを適切なトルクで行わせることが可能となる。
【００５１】
［実施例１の効果］
本実施例の空気孔栓７は、空気孔２５側の雌ねじ部２５ａに螺合される螺合用の雄ねじ部２７と、雄ねじ部２７と一体の柱状であり、螺合動作時及び螺合解除動作時に回転操作されるツマミ部２９とを備え、ツマミ部２９は、表面２９ｂに回転操作時に作業者の指を回転方向において係合させる係合部３７を有する。
【００５２】
従って、本実施例の空気孔栓７は、ツマミ部２９の表面２９ｂの係合部３７に回転方向において作業者の指を係合させることができるため、ツマミ部２９が水に濡れている場合でも、緩める際に作業者の指が滑りにくく、容易且つ確実に作業を行わせることができる。
【００５３】
しかも、本発実施例の空気孔栓７は、係合部３７が締め付ける際のトルクの目安となり、締め付けを適切なトルクで行わせることが可能となり、作業者による締め付けトルクのばらつきを抑制できる。
【００５４】
本実施例では、ツマミ部２９が円柱状であり、係合部３７が表面２９ｂから突出した突起部からなるので、突起部としての係合部３７に指を引掛けて、より容易且つ確実に空気孔栓７を緩める作業を行わせることができる。
【００５５】
しかも、突起部である係合部３７は、ツマミ部２９の表面２９ｂの外周上の二点を結ぶ弦に沿って形成された突条部であるため、作業者が親指と人差し指を当てるようにしてつまみやすく（係合させやすく）、より容易且つ確実に空気孔栓７を緩める作業を行わせることができる。
【００５６】
特に、突条部としての係合部３７は、ツマミ部２９の表面２９ｂの直径に沿って、表面２９ｂの外周上の二点間に渡って形成されたため、作業者が親指と人差し指を当てるようにしてつまんだ状態でのツマミ部２９の回転操作を円滑に行わせることができる。
【００５７】
かかる空気孔栓７を有する採水器１は、採水して水中から引き揚げられた直後であっても、空気孔栓７を円滑に緩めて内部から排水することを可能とする。
【実施例２】
【００５８】
図９は、実施例２に係る空気孔栓の正面図、図１０は、同平面図である。なお、実施例２では、実施例１と対応する構成部分に同符号を付して重複した説明を省略する。
【００５９】
本実施例の空気孔栓７は、係合部３７がツマミ部２９の外周面２９ｃに設けられている。具体的には、ツマミ部２９が角柱状に形成され、係合部３７がツマミ部２９の外周上に位置する角柱状の側面２９ｄからなる。
【００６０】
本実施例では、ツマミ部２９が五角柱状に形成されている。これにより、ツマミ部２９の指向性が視認しやすく、締め付け時のトルク管理が行いやすい。なお、ツマミ部２９は、三角柱としてもよい。この場合も、指向性が視認しやすく、五角柱と同様の作用効果を奏する。ただし、ツマミ部２９を、四角柱、六角柱等とすることも可能である。
【００６１】
その他、本実施例においても、実施例１と同様の作用効果を奏することができる。
【実施例３】
【００６２】
図１１は、実施例３に係る空気孔栓の正面図、図１２は、同平面図である。なお、実施例３では、実施例１と対応する構成部分に同符号を付して重複した説明を省略する。
【００６３】
本実施例の空気孔栓７は、実施例２と同様、係合部３７がツマミ部２９の外周面２９ｃに設けられている。ただし、本実施例では、ツマミ部２９が外周上の一部が平坦面２９ｅとなっている円柱状に形成され、係合部３７が平坦面２９ｅからなっている。
【００６４】
なお、平坦面２９ｅは、図１１及び図１２において、一つのみ設けられているが、例えば図１３のように径方向に対向する一対の平坦面２９ｅを設けることも可能である。
【００６５】
かかる実施例３においても、実施例１と同様の作用効果を奏することができる。
【実施例４】
【００６６】
図１４は、実施例４に係る空気孔栓の正面図、図１５は、同平面図である。なお、実施例４では、実施例１と対応する構成部分に同符号を付して重複した説明を省略する。
【００６７】
本実施例の空気孔栓７は、実施例２と同様、係合部３７がツマミ部２９の外周面２９ｃに設けられている。本実施例では、ツマミ部２９が楕円柱状に形成されており、係合部３７が楕円柱状の外周面２９ｃからなっている。
【００６８】
かかる実施例４においても、実施例１と同様の作用効果を奏することができる。
【実施例５】
【００６９】
図１６は、実施例５に係る空気孔栓の正面図、図１７は、同平面図である。なお、実施例５では、実施例１と対応する構成部分に同符号を付して重複した説明を省略する。
【００７０】
本実施例の空気孔栓７では、係合部３７がツマミ部２９の外周面２９ｃ又は表面２９ｂに設けられている。
【００７１】
具体的には、ツマミ部２９が円柱形状に形成されると共に外周面２９ｃから径方向の内側へ向かう凹部２９ｆを備えている。凹部２９ｆは、軸心方向において、ツマミ部２９の表面２９ｂから裏面２９ａに渡って設けられている。なお、凹部２９ｆは、シール部材３５を露出させない範囲に形成するのが好ましい。
【００７２】
かかる実施例５においても、実施例１と同様の作用効果を奏することができる。
【実施例６】
【００７３】
図１８は、実施例６に係る採水器の要部正面図である。なお、実施例５では、実施例１と対応する構成部分に同符号を付して重複した説明を省略する。
【００７４】
本実施例の採水器１は、採水容器３が空気孔栓７の周囲において螺合用のマーク３９を有したものである。その他は、空気孔栓７を含めて実施例１と同一構成である。
【００７５】
かかる採水器１では、空気孔栓７を締め付ける際に、係合部３７をマーク３９に対して位置決めることで、適切なトルクで空気孔栓７の雄ねじ部２７が空気孔２５側の雌ねじ部２５ａに螺合させること、つまり空気孔栓７の締め付けを行うことができる。
【００７６】
例えば、空気孔栓７のツマミ部２９がシール部材３５を介して採水容器３の外周面に突き当てられ、その状態から係合部３７をマーク３９に位置合わせすること等により、空気孔栓７の締め付けを適切なトルクで行わせることが可能となる。
【００７７】
なお、マーク３９と係合部３７の位置決めは、上記に限られるものではなく、自由に設定することか可能である。
【００７８】
例えば、実施例２の空気孔栓７の場合は、多角形状の角部をマーク３９に位置合わせする。実施例３の空気孔栓７の場合は、平坦面２９ｅのある部分でマーク３９が視認でき、平坦面２９ｅの無い部分でマーク３９が視認できないようにし、マーク３９が視認できるか否かで位置決めを行ってもよい。実施例４の場合は、実施例１及び実施例３の何れの位置決め手法でもよく、実施例５の場合は、実施例３と同様の位置決め手法を採用できる。
【００７９】
かかる実施例６では、より容易且つ確実に適切なトルクで空気孔栓７の締め付けを行わせることができる。
【００８０】
その他、実施例１と同様の作用効果を奏することができる。
【符号の説明】
【００８１】
１  採水器
３  採水容器（本体部）
７  空気孔栓
２５  空気孔
２５ａ  雌ねじ部
２７  雄ねじ部
２９  ツマミ部
２９ｂ  表面
２９ｃ  外周面
３５  シール部材
３７  係合部
２９ｄ  側面
２９ｅ  平坦面
３９  マーク
【図１】
2019007931.tif 000003
【図２】
2019007931.tif 000004
【図３】
2019007931.tif 000005
【図４】
2019007931.tif 000006
【図５】
2019007931.tif 000007
【図６】
2019007931.tif 000008
【図７】
2019007931.tif 000009
【図８】
2019007931.tif 000010
【図９】
2019007931.tif 000011
【図１０】
2019007931.tif 000012
【図１１】
2019007931.tif 000013
【図１２】
2019007931.tif 000014
【図１３】
2019007931.tif 000015
【図１４】
2019007931.tif 000016
【図１５】
2019007931.tif 000017
【図１６】
2019007931.tif 000018
【図１７】
2019007931.tif 000019
【図１８】
2019007931.tif 000020
【手続補正書】
【提出日】平成30年10月5日(2018.10.5)
【手続補正１】
【補正対象書類名】特許請求の範囲
【補正対象項目名】全文
【補正方法】変更
【補正の内容】
【特許請求の範囲】
【請求項１】
中空状の採水器の内外を連通し前記採水器内からの排水時に開放される空気孔を螺合により閉止するための採水器の樹脂製の空気孔栓であって、
前記空気孔に螺合する雄ねじ部と、
前記螺合動作時及び螺合解除動作時に回転操作されるツマミ部とを備え、
前記ツマミ部は、外周面又は表面に前記回転操作時に指を回転方向において係合させる係合部を有し、
前記ツマミ部は、テーパ状の裏面から太径部を介して前記雄ねじ部に連続し、
前記大径部は、前記雄ねじ部よりも大径であって前記採水器の表面に突き当たり、
前記大径部に、連通孔の開口が形成され、
前記連通孔は、前記雄ねじ部の先端と前記大径部の開口とに渡って形成され、
前記大径部に嵌合配置され前記ツマミ部のテーパ状の裏面と前記採水器との間で締結されて前記大径部の開口を閉止するシール部材を備えた、
ことを特徴とする空気孔栓。
【請求項２】
請求項１記載の空気孔栓であって、
前記ツマミ部は、円柱状であり、
前記係合部は、前記外周面又は前記表面から突出した突起部からなる、
ことを特徴とする空気孔栓。
【請求項３】
請求項２記載の空気孔栓であって、
前記突起部は、前記表面から突出して該表面の外周上の二点を結ぶ弦に沿って形成された突条部である、
ことを特徴とする空気孔栓。
【請求項４】
請求項３記載の空気孔栓であって、
前記突条部は、前記ツマミ部の前記表面の直径に沿って前記表面の外周上の二点間に渡って形成された、
ことを特徴とする空気孔栓。
【請求項５】
請求項１記載の空気孔栓であって、
前記ツマミ部は、角柱状に形成され、
前記係合部は、前記ツマミ部の外周上に位置する前記角柱状の側面からなる、
ことを特徴とする空気孔栓。
【請求項６】
請求項１記載の空気孔栓であって、
前記ツマミ部は、外周上の一部が平坦面となっている円柱状であり、
前記係合部は、前記平坦面からなる、
ことを特徴とする空気孔栓。
【請求項７】
請求項１記載の空気孔栓であって、
前記ツマミ部は、楕円柱状であり、
前記係合部は、前記楕円柱状の外周面である、
ことを特徴とする空気孔栓。
【請求項８】
請求項１〜７の何れか一項に記載の空気孔栓を備えた採水器であって、
前記採水器は、前記空気孔栓の周囲において螺合用のマークを有し、
前記空気孔栓は、前記係合部を前記マークに対して位置決めることで適切なトルクで前記雄ねじ部が前記空気孔に螺合される、
ことを特徴とする採水器。
【手続補正２】
【補正対象書類名】明細書
【補正対象項目名】００１１
【補正方法】変更
【補正の内容】
【００１１】
本発明は、緩める際に作業者の指が滑りにくく、且つ締め付ける際に作業者による締め付けトルクのばらつきを抑制するために、中空状の採水器の内外を連通し前記採水器内からの排水時に開放される空気孔を螺合により閉止するための採水器の樹脂製の空気孔栓であって、前記空気孔に螺合する雄ねじ部と、前記螺合動作時及び螺合解除動作時に回転操作されるツマミ部とを備え、前記ツマミ部は、外周面又は表面に前記回転操作時に指を回転方向において係合させる係合部を有し、前記ツマミ部は、テーパ状の裏面から太径部を介して前記雄ねじ部に連続し、前記大径部は、前記雄ねじ部よりも大径であって前記採水器の表面に突き当たり、前記大径部に、連通孔の開口が形成され、前記連通孔は、前記雄ねじ部の先端と前記大径部の開口とに渡って形成され、前記大径部に嵌合配置され前記ツマミ部のテーパ状の裏面と前記採水器との間で締結されて前記大径部の開口を閉止するシール部材を備えたことを最も主な特徴とする。
【手続補正３】
【補正対象書類名】明細書
【補正対象項目名】００１３
【補正方法】変更
【補正の内容】
【００１３】
しかも、本発明の空気孔栓は、作業者による締め付けトルクのばらつきを抑制することができる。